【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
体外血液システムであって：
体外血液回路を含む体外血液機械；
該体外血液回路が患者に連結されることを可能にするアクセスデバイス；
該体外血液回路の第１チューブおよび第２チューブにそれぞれ連結するための第１チューブ連結部材および第２チャーブ連結部材；
該第１チューブ連結部材および該第２チューブ連結部材によって、該体外血液回路を通って流れる血液と接触するように、少なくとも部分的に保持される第１電極および第２電極であって、電気信号が該体外血液回路に注入されることを可能にする第１電極および第２電極；
該第１電極および該第２電極にそれぞれ接触する第１接触部材および第２接触部材；および
該電気信号を与えるために該第１接触部材および該第２接触部材に作動可能に連結される電子機器であって、該信号が該アクセスデバイスをモニターするために用いられる電子機器を備える、体外血液システム。
【請求項２】
前記第１電極および前記第２電極が、前記第１チューブ連結部材内および前記第２チューブ連結部材内にそれぞれ位置される、請求項１に記載の体外血液システム。
【請求項３】
前記第１電極および前記第２電極の少なくとも１つが、前記第１チューブ連結部材および前記第２チューブ連結部材の少なくとも１つのほぼ中央にそれぞれ位置される、請求項１に記載の体外血液システム。
【請求項４】
前記第１チューブ連結部材および前記第２チューブ連結部材の少なくとも１つが、前記第１電極および前記第２電極の少なくとも１つとそれぞれ接触するために前記第１接触部材および前記第２接触部材の少なくとも１つが通って挿入されるステム部分を含む、請求項１に記載の体外血液システム。
【請求項５】
前記第１チューブ連結部材および前記第２チューブ連結部材の少なくとも１つが、チューブの２つの部分の間に取り付けられる形態である、請求項１に記載の体外血液システム。
【請求項６】
前記第１接触部材および前記第２接触部材が、前記第１連結部材および前記第２連結部材中にそれぞれ延びる、請求項１に記載の体外血液システム。
【請求項７】
前記アクセスデバイスが、前記体外回路に連結された第１針および第２針を含む、請求項１に記載の体外血液システム。
【請求項８】
前記第１チューブおよび前記第２チューブがそれぞれ、動脈ラインおよび静脈ラインである、請求項１に記載の体外血液システム。
【請求項９】
前記動脈ラインに連結される前記第１チューブ連結部材が、該動脈ラインの血液ポンプ作動領域の上流に位置される、請求項８に記載の体外血液システム。
【請求項１０】
前記静脈ラインに連結される前記第２チューブ連結部材が、該静脈ラインに位置する気泡トラップの下流に位置される、請求項８に記載の体外血液システム。
【請求項１１】
前記電子機器が、電流発生源を含む、請求項１に記載の体外血液システム。
【請求項１２】
体外血液システムであって：
患者の血液が通って流れ得る管腔を規定する体外血液回路を含む体外血液機械；
該体外血液回路が患者に連結されることを可能にするアクセスデバイス；
該体外血液回路を通って流れる血液と接触するように該管腔内に位置される第１電極および第２電極であって、電気信号が該体外血液回路中に注入されることを可能にする第１電極および第２電極；
該管腔中に延び、該第１電極および該第２電極とそれぞれ接触する第１接触部材および第２接触部材；および
該管腔の外側で該第１接触部材および該第２接触部材に作動可能に連結される電子機器であって、該アクセスデバイスをモニターするために該血液に信号を与える形態である電子機器、、を備える、体外血液システム。
【請求項１３】
前記第１電極および前記第２電極を保持する第１部材および第２部材を含み、前記第１接触部材および前記第２接触部材が電極を保持する該第１部材および該第２部材を通ってそれぞれ延び、該第１電極および該第２電極と接触する、請求項１２に記載の体外血液システム。
【請求項１４】
前記電極を保持する第１部材および第２部材が、前記体外血液回路の第１チューブおよび第２チューブにそれぞれ連結するための第１チューブ連結部材および第２チューブ連結部材である、請求項１３に記載の体外血液システム。
【請求項１５】
前記電子機器が第１電子機器を含み、そして該第１電子機器が前記管腔内に位置する第３電極を含み、該第３電極が、前記アクセスデバイスをモニターするために前記血液に与えられた信号を感知する形態である第２電子機器との作動可能な通信に配置される請求項１２に記載の体外血液システム。
【請求項１６】
前記第１電極および前記第２電極が、前記患者と、気泡トラップ、透析機および血液ポンプと作動する前記体外血液回路の一部分の少なくとも１つとの間の電気的バイパスを形成するように前記管腔中に配置される、請求項１２に記載の体外血液システム。
【請求項１７】
前記管腔を規定する体外血液回路が、動脈ラインおよび静脈ラインを含み、そして前記アクセスデバイスが該動脈ラインおよび該静脈ラインに連結される第１針および第２針を含む、請求項１２に記載の体外血液システム。
【請求項１８】
体外血液システムであって：
体外血液回路を含む体外血液機械；
該体外血液回路が患者に連結されることを可能にするアクセスデバイス；
該体外血液回路の第１チューブおよび第２チューブにそれぞれ連結するための第１チューブ連結部材および第２チャーブ連結部材であって、各々がポートを含む第１チューブ連結部材および第２チャーブ連結部材；
該第１チューブ連結部材および該第２チューブ連結部材によって、該体外血液回路を通って流れる血液と接触するように保持される第１電極および第２電極であって、電気信号が該体外血液回路に注入されることを可能にする第１電極および第２電極；
該第１電極および該第２電極と第１チューブ連結部材および第２チューブ連結部材の個々のポートを通って接触する第１接触部材および第２接触部材；および
該電気信号を与えるために該第１接触部材および該第２接触部材に作動可能に連結される電子機器であって、該信号が該アクセスデバイスをモニターするために用いられる電子機器を備える、体外血液システム。
【請求項１９】
前記第１ポートおよび第２ポートの少なくとも１つが、前記第１接触部材および前記第２接触部材の少なくとも１つから少なくとも実質的に垂直に延びる、請求項１８に記載の体外血液システム。
【請求項２０】
前記電極および前記接触部材が、それらの個々のチューブ連結部材内にシールされる、請求項１８に記載の体外血液システム。
【請求項２１】
体外血液処置の間のアクセス切断を検出する方法であって、該方法は以下の工程：
第１血液ラインおよび第２血液ラインを備えた体外血液回路を有する患者に、複数の構成要素を含む体外血液システムを連結し、これにより、処置の間、血液が、該体外血液回路に沿って、該患者の中へ流れ、該患者を通って流れ、そして該患者の外へと流れる、工程；
該体外血液回路に電気信号を注入する工程；
該第１血液ラインと該第２血液ラインとの間の導電性接続部を介して、該電気信号を通過させ、それによって、該体外血液回路に連結された該体外血液システムの１つ以上の構成要素をバイパスするループを規定する、工程；および
アクセス切断に応答する電気的値の変化を測定する工程、
を包含する、方法。